(57)【要約】【課題】電源ケーブルを挿しながらデジタルカメラを載置状態とするとき、縦置き・横置きそれぞれの置き方において、安定した載置状態をとることが困難であった。【解決手段】矩形型のデジタルカメラにおいて、表示面と対向する面の端部に電源ジャック及びジャック蓋を配置し、長手面が載置面に当接する横置き状態のみならず、短手面が載置面に当接する縦置き状態においても、ジャック蓋が所定の角度で係止し、載置面に当接することで、表示部が見やすく、安定した載置状態を得ることができる。また、その時、ジャック蓋の指かかり用ザグリ形状が電源ケーブルの通り道を兼ねる。【選択図】  図５
2014171136.tif 000002
【特許請求の範囲】
【請求項１】
記録手段を有し、
記録手段によって記録されたデータを表示する矩形の表示部を有する、
撮像装置において、
撮像装置本体の表示部を有する面と対向する面の端部に電源ジャックと
前記電源ジャック付近を覆うジャック蓋を備え、
前記矩形表示部を横置きに置く第一の載置状態と、
前記矩形表示部を縦置き且つ前記ジャック蓋が底面側にくるように置く第二の載置状態を可能とし、
前記第二の載置状態では安定した載置状態を可能とするように前記ジャック蓋が所定の角度で開状態に係止すること
を特徴とする撮像装置。
【請求項２】
前記所定角度は、第二の載置状態において前記矩形表示部の上部が表示面の後方に傾いた状態を保ち得る角度であることを特徴とする請求項１に記載の撮像装置。
【請求項３】
前記ジャック蓋は、開動作をするための指かかり形状が前記電源ジャックと同じ高さに形成されることを特徴とする請求項１又は請求項２に記載の撮像装置。
【請求項４】
前記指かかり形状は、少なくとも電源ケーブルの幅以上のザグリ深さを持つことを特徴とする請求項１乃至請求項３の何れか１項に記載の撮像装置。
【発明の詳細な説明】
【技術分野】
【０００１】
本発明は、横置き及び縦置きを可能とするデジタルカメラの電源ジャック及びジャック蓋の配置に関する。
【背景技術】
【０００２】
近年のデジタルカメラでは、タッチパネル搭載や、ハイビジョンの動画撮影が可能なデジタルカメラなど、様々な新機能が搭載されてきている。しかし、それらの機能は旅行や学校行事などイベント時に使用するケースがほとんどであり、普段使いされるデジタルカメラの使用形態が望まれる。
【０００３】
その一例として、例えば、通常の再生モードとは異なり、撮影された静止画、或いは動画を自動的にランダム再生する、所謂デジタルフォトフレームの機能を備え持つデジタルカメラが考えられる。つまり、非撮影時はインテリア性・装飾性を備えているデジタルフォトフレームとして机上などに置かれており、撮影時にはその場から取り上げて使用する、といった普段使いのできる使用形態が望まれる。
【０００４】
この時、撮影記録された静止画・動画がデジタルカメラの表示部に表示されるが、表示部の縦と横の寸法が異なるデジタルカメラにおいては、横長のデータと縦長のデータが混在することが考えられるため、そのデータに合わせて、縦横２通りの置き方で置かれることが考えられる。また、非撮影時のデジタルフォトフレーム時には、電力を消費し続けるため、常に通電されていることが望ましいが、電源ケーブルを挿したままの状態で縦置き・横置きの２通りの置き方を実現するための電源ジャックのレイアウトは限定されてくる。
【０００５】
一般的に、電源ジャックは、頻度が高い横置き時に邪魔にならないように本体の側面、つまり矩形型の表示部に近い割合に合わせた本体の短手面にレイアウトされることが多いが、この時縦置き時にはジャックは天面、又は底面にくることとなり、安定した載置状態を維持するのが難しい。天面に電源ジャック及び電源ケーブルがきたときは、重いケーブルが本体を倒す方向に力を加えるため、バランスを崩しやすい。また、底面に電源ジャック及び電源ケーブルがきたときは、電源ケーブルのプラグ部分を避ける構造が必要となる。特許文献１には、電子機器のL型プラグが底面にきた時に平面を形成するような構成としている。その様子を図７に示す。
【先行技術文献】
【特許文献】
【０００６】
【特許文献１】特開2002-216885号公報
【発明の概要】
【発明が解決しようとする課題】
【０００７】
しかしながら、上記特許文献１に記載された技術は、矩形型の電子機器の短手面に電源ジャックをレイアウトし、この面を底面として置いたときに平面を形成するが、平面を形成するためにプラグが挿入される面を潜り込ませ、プラグの先端と同一面となるように筐体を凸にしているため、小型化には不利である。また、片側にプラグ回り止め部が形成されているが、反対側には形成されていないため、短手面を底面として置いたときにはケーブルが引っ張られた時にバランスを崩し、転倒の恐れがある。
【０００８】
本発明はこのような事情を鑑みなされたものであり、その目的は、縦置き・横置きの２つの異なる方向での安定した載置状態を得ることができるデジタルカメラを提供することにある。
【課題を解決するための手段】
【０００９】
本発明は上記問題を達成するために、請求項の１〜４に記載の手段からなる。
【発明の効果】
【００１０】
本発明によれば、横置き状態では、矩形型の本体の長手面が底面となるため、安定した載置状態が可能となる。縦置き状態では、表示部を有する面と対向する面の端部にレイアウトしたジャックの蓋が足となることで、安定した載置状態が可能となる。またこの時は、表示部と載置面との角度が鈍角で且つ表示部が上向きになるように傾くことで、表示部の視認性を向上させることができる。
【図面の簡単な説明】
【００１１】
【図１】本発明の実施形態に係るデジタルカメラの正面斜視図
【図２】本発明の実施形態に係るデジタルカメラの背面斜視図
【図３】横置き載置状態において電源ケーブルを挿した時の正面斜視図
【図４】横置き載置状態において電源ケーブルを挿した時の背面斜視図
【図５】縦置き載置状態において電源ケーブルを挿した時の正面斜視図
【図６】縦置き載置状態において電源ケーブルを挿した時の背面斜視図
【図７】先行技術の発明に係る電子機器の外観形状を示す背面図
【発明を実施するための形態】
【００１２】
以下図面に従って本発明の撮像装置の好ましい実施の形態について説明する。
【００１３】
図１・図２は本発明の実施形態に係るデジタルカメラの正面斜視図及び背面斜視図であり、図３・図４は横置き載置状態において電源ケーブルを挿した時の正面斜視図及び背面斜視図であり、図５・図６は縦置き載置状態において電源ケーブルを挿した時の正面斜視図及び背面斜視図である。
【００１４】
図１及び図２に示したように、このデジタルカメラ本体１０１は、その前面にズームやフォーカスを制御する多数のレンズ群から構成される撮像光学系１０２を備えており、各レンズを通過した光は、撮像光学系１０２の後ろ側に配置されている不図示である撮像素子上に、被写体像として結像される。この被写体像が信号電圧に変換され、不図示である画像処理を経て、不図示であるメモリに格納される。メモリに格納された画像データは、不図示である制御ＣＰＵの指令に従って、定期的に読み出しされることで、リアルタイムに、画像表示部１０８に表示することが出来る。また、画像データは、必要に応じて圧縮処理され、メモリに記録される。
【００１５】
また、本体前面には、ストロボ発光部１０３、マイクロホン部１０４を配設する。本体の上面には、デジタルカメラの電源を制御する電源スイッチ１０５、静止画や動画の記録を行うトリガースイッチ１０６、ズーム倍率を調節するズームスイッチ１０７を備える。本体の背面には、背面を覆うように配される表示部１０８、再生時に音声を流すスピーカー部１０９、モードの切替を行うモード切替スイッチ１１０、メニューボタン１１１、十字キーユニット１１２を備える。
【００１６】
また、本体の下面には、デジタルカメラ本体１０１に電源を供給する不図示であるバッテリーや、撮像データを記録する不図示であるメモリーカードを挿入するスペースを設け、それらは不図示である蓋部材によって覆われている。
【００１７】
図３及び図４に示したように、デジタルカメラ本体１０１の前面側、言い換えれば表示部１０８を有する面と対向する面の端部に電源ジャック１１３と前記電源ジャック１１３を覆うジャック蓋２０１を備える。
【００１８】
電源ジャック１１３は、本体前面のグリップ側１１５の端部の略中央に配置する。ジャック蓋２０１は、外観部材が例えばポリカーボネートのような高剛性部材、内部がエラストマーのような弾性部材で構成される２色成形部品である。ジャック蓋２０１の内側の弾性部材で構成された係圧入ボス２０２が、本体の、前記係圧入ボス２０２に対応する位置に設けられた圧入孔１１４に圧入されることで、ジャック蓋２０１は閉状態に保持される。ジャック蓋を開く時は、ジャック蓋の端部略中央に形成された指かかり用のザグリ形状２０３に指をかけ、開閉軸２０４を中心として、図３の矢印A方向に開くことで、ジャック蓋２０１は開状態となる。このとき、ジャック蓋２０１は、開閉軸２０４側の端部が本体側に当接することで、後述する所定の角度で開状態に係止される。この所定角度とは、少なくとも電源ケーブル３０１を挿抜することのできる角度である。
【００１９】
ジャック蓋２０１が不用意に開きにくくするために、前記係圧入ボス２０２は、前記指かかり用のザグリ形状２０３を中心として対称に一対備えられ、圧入孔１１４もそれに応じて備えられる。また、前記指かかり用ザグリ形状２０３は、電源ジャック１１３と略等しい高さに位置するように備えられる。
【００２０】
図３及び図４で示したように、矩形型のデジタルカメラ１０１を横置きにした時、すなわち長手面を底面として置いた時、載置面に当接する面積が多く、且つ電源ケーブル３０１は本体の前面方向に延在するため、載置状態においても邪魔にならず、安定した載置状態を得ることができる。また、電源ジャック１１３をグリップ側１１５に配置したことで、電源ケーブル３０１が挿入されたままでも、撮影画像に電源ケーブルが写りこむことなく、又表示部１０８の画像を見たままで、問題なく撮影を行うことができる。
【００２１】
図５及び図６に示したように、縦置き状態では、矩形型のデジタルカメラ本体１０１の短手面のうち、ジャック蓋２０１側が底面に来るように置く。このとき、矩形型のデジタルカメラ本体１０１の短手面をそのまま底面に置くと、載置面に当接する面積が少ないため、バランスが崩れやすい。
【００２２】
そこで、図５及び図６に示したように、ジャック蓋２０１が所定の角度開いた時に、ジャック蓋２０１の端面が載置面に当接するようにする。ここで、所定の角度とは、表示部１０８と載置面の角度が鈍角になるような角度B、つまり表示部上方が前側に傾くことで表示部の視認性があがるための角度である。
【００２３】
また、ジャック蓋２０１の指かかり用ザグリ形状２０３のザグリ深さは、少なくとも電源ケーブル３０１のケーブル幅よりも深くする。そうすることで、電源ジャック１１３が底面にくる縦置き時に、電源ジャック１１３と略等しい高さに配置された指かかり用のザグリ形状２０３部分を電源ケーブル３０１が通り、電源ケーブル３０１の引き回しのスペースを確保することができる。
【００２４】
また、係圧入ボス２０２を、前記指かかり用ザグリ形状２０３を中心として対称に配置することで、縦置き時の載置状態をサポートすると共に、係圧入ボスを弾性部材で形成することで、デジタルカメラ本体１０１の滑り止めの効果も併せ持つ。
【００２５】
このように、デジタルカメラの表示部と対向する面のグリップ側端部略中央に電源ジャック及びジャック蓋を備え、ジャック蓋を開けるための指かかり用ザグリ形状を電源ジャックと略同じ高さに形成し、ジャック蓋の裏面に弾性部材で構成された係圧入ボスを指かかり用ザグリ形状を中心として対称に配置する構成をとった。こうすることで、通電中、つまり電源ケーブルを挿したままの状態においても、一般的な横置き状態のみならず、縦置き状態においてもジャック蓋が足となり安定した載置状態を提供することができる。
【００２６】
また、特に縦置き状態においては、ジャック蓋が所定の角度でデジタルカメラ本体に対して開状態に係止されることで、表示部の視認性が向上する角度で本体を安定した載置状態にすることができる。
【符号の説明】
【００２７】
１０１  デジタルカメラカメラ本体
１０８  表示部
１１３  電源ジャック
１１４  係圧入孔
２０１  ジャック蓋
２０２  係圧入ボス
２０３  指かかり用ザグリ形状
２０４  開閉軸
３０１  電源ケーブル
１    電子機器
２    筐体
３    プラグ回り止め部
４    プラグ抜け止め部
６    収納凹部
Ｐ    L型プラグ
【図１】
2014171136.tif 000003
【図２】
2014171136.tif 000004
【図３】
2014171136.tif 000005
【図４】
2014171136.tif 000006
【図５】
2014171136.tif 000007
【図６】
2014171136.tif 000008
【図７】
2014171136.tif 000009